(57)【要約】    【課題】      排紙される記録済みシートのシートジャムを防止することができるようにすること。    【解決手段】  原稿カバー１２２が開かれたまま画像形成が実行された場合、また、ブック原稿ＢＯなどの厚手の原稿が原稿載置台１２１の原稿載置面１２１ａ上に載置されて原稿カバー１２２が完全に閉まらない場合には、第２のシート排紙トレイ１５５が開放された状態となる。そして、画像形成を終えた記録済みシートＰｓが原稿カバー１２２の開閉領域外の部位に排紙する第２のシート排紙経路１５８を通して第２のシート排紙トレイ１５５に排紙される。これにより、第２のシート排紙トレイ１５５の開き忘れがなく、記録済みシートＰｓの排紙時におけるシートジャムを確実に防止できる。また、原稿カバー１２２と記録済みシートＰｓとの干渉によるシートジャムを防止することができる。  【選択図】      図４
2005338299.tif 000002
【特許請求の範囲】
【請求項１】
原稿を載置する原稿載置台と、
前記原稿載置台の原稿載置面を覆う開閉自在な原稿カバーと、
画像形成を終えて排紙される記録済みシートを前記原稿カバーの開閉領域外の部位に排紙するシート排紙経路と、
前記シート排紙経路を通して排紙される前記記録済みシートを載置する開閉自在なシート排紙台と、
前記原稿カバーが開かれたときに前記シート排紙台を開放するシート排紙台開放手段と、を具備することを特徴とする画像形成装置。
【請求項２】
原稿を載置する原稿載置台と、
前記原稿載置台の原稿載置面を覆う開閉自在な原稿カバーと、
前記原稿カバーの開閉状態に応じて画像形成を終えて排紙される記録済みシートのシート排紙経路を前記原稿カバーの上方部位に排紙する第１のシート排紙経路と前記原稿カバーの開閉領域外の部位に排紙する第２のシート排紙経路とのいずれかに切り替えるシート排紙経路切替手段と、
前記第１のシート排紙経路を通して排紙される前記記録済みシートを載置する第１のシート排紙台と、
前記第２のシート排紙経路を通して排紙される前記記録済みシートを載置する開閉自在な第２のシート排紙台と、
前記原稿カバーが開かれたときに前記第２のシート排紙台を開放するシート排紙台開放手段と、を具備することを特徴とする画像形成装置。
【請求項３】
前記原稿カバーの開閉状態を検出する原稿カバー状態検出手段を具備することを特徴とする請求項１または請求項２記載の画像形成装置。
【請求項４】
画像形成を開始するスタートボタンが押されたとき前記原稿カバー状態検出手段が前記原稿カバーの開状態を検出している場合には前記シート排紙台開放手段を動作させることを特徴とする請求項３記載の画像形成装置。
【請求項５】
前記原稿載置台にブック原稿を載置したときに押されるブック原稿選択ボタンを備え、前記ブック原稿選択ボタンが押されたときに前記シート排紙台開放手段を動作させることを特徴とする請求項１から請求項４のいずれかに記載の画像形成装置。
【請求項６】
前記第２のシート排紙台は、前記第１のシート排紙経路および前記第２のシート排紙経路を形成するシートガイド板を兼ねていることを特徴とする請求項２から請求項５のいずれかに記載の画像形成装置。
【請求項７】
前記第２のシート排紙台は、装置本体の外面をなす外装板を兼ねていることを特徴とする請求項２から請求項６のいずれかに記載の画像形成装置。
【請求項８】
前記シート排紙経路切替手段は、前記第１のシート排紙経路および前記第２のシート排紙経路を形成するシートガイド板を兼ねていることを特徴とする請求項２から請求項７のいずれかに記載の画像形成装置。
【請求項９】
前記第２のシート排紙台と前記シート排紙経路切替手段とを連動させる連動機構を具備することを特徴とする請求項２から請求項８のいずれかに記載の画像形成装置。
【請求項１０】
前記シート排紙台開放手段は、前記原稿カバーが閉じられている状態で前記第２のシート排紙台を閉位置に係止し、前記原稿カバーが開けられた状態で前記係止を解除して前記第２のシート排紙台を開放する排紙台係止手段を具備することを特徴とする請求項２から請求項９のいずれかに記載の画像形成装置。
【請求項１１】
前記第１のシート排紙台および前記第２のシート排紙台は、開閉自在な１つのシート排紙トレイからなり、前記シート排紙トレイの一方の面が前記第１のシート排紙台をなし、前記シート排紙トレイの他方の面が前記第２のシート排紙台をなすことを特徴とする請求項２から請求項１０のいずれかに記載の画像形成装置。
【請求項１２】
給紙する原稿を載置する原稿給紙台と、前記原稿給紙台上に載置された原稿を給紙する原稿給紙手段と、前記原稿給紙手段により給紙される原稿の画像情報を読み取る原稿読取手段と、前記原稿読取手段により前記画像情報の読み取りを終えた原稿を排紙する原稿排紙手段と、前記原稿排紙手段により排紙された原稿を載置する原稿排紙台と、を有する自動原稿給紙装置を具備することを特徴とする請求項２から請求項１１のいずれかに記載の画像形成装置。
【発明の詳細な説明】
【技術分野】
【０００１】
本発明は、画像形成装置に関し、特に、紙文書やブック原稿などを複写する複写機能、パーソナルコンピュータ（ＰＣ）などから送信される電子データなどをプリントアウトするプリント機能、およびファクシミリ（ＦＡＸ）などと送受信するファクシミリ機能等を有する多機能の複合機に用いて有用な画像形成装置に関する。
【背景技術】
【０００２】
一般のオフィス等で使われるこの種の多機能の画像形成装置においては、近年の文書データや画像データのデジタル化に伴って、ＰＣやＦＡＸ等から送信される電子データにより画像形成を行う頻度が圧倒的に多くなっている。
【０００３】
このように、近年の画像形成装置は、上述のような電子データによる画像形成頻度が今後益々高くなる傾向にあるが、紙文書やブック原稿等の複写もたまには必要になるためこれらの読み取りを行う読取部も搭載しておく必要がある。
【０００４】
また、この種の従来の画像形成装置においては、一般的に、転写紙やＯＨＰシートなどの記録媒体に画像形成した後の記録済みシートを、装置本体の側面の排紙部に突出するように設けたシート排紙トレイに排紙して積載するようにしている。
【０００５】
しかしながら、このような構成の画像形成装置は、装置本体の側方にシート排紙トレイの突出領域を確保する必要があるため、見かけよりも大きな設置面積が必要となる。
【０００６】
そこで、近年、その読取部と画像形成部との間の装置本体胴部に空間を形成し、この空間に記録済みシートの排紙部を形成した構成の画像形成装置が提案されている（例えば、特許文献１参照）。この画像形成装置は、特別な場合に開いて使われる手差しトレイを除けば、装置本体の側面から突出するものがないので設置面積が小さくて済む。
【０００７】
しかしながら、この画像形成装置は、装置本体胴部形成された排紙部が、装置本体前面の操作パネルや前記読取部等の陰に隠れてしまう構成となるため、この排紙部に排紙された記録済みシートの視認性や取り出し作業性に難点がある。また、この画像形成装置は、装置本体胴部に空間が形成されているため、その筐体構造や外装の構成などが複雑になり、装置本体の強度維持等のために余分なコストがかかるという問題がある。
【０００８】
一方、本出願人は、装置本体の最上部に記録済みシートを排紙できるようにした構成の画像形成装置を提案している（例えば、特許文献２参照）。
【０００９】
この画像形成装置は、装置本体の最上部に記録済みシートを排紙できるので、排紙された記録済みシートの確認や取り出しを容易に行うことができる。また、この画像形成装置は、装置本体の側面から突出するものがないので、装置本体の設置面積を小さくできる。
【特許文献１】特開２００３―３０７９９６号公報
【特許文献２】特開平８−２８６４５０号公報
【発明の開示】
【発明が解決しようとする課題】
【００１０】
しかしながら、前述のような装置本体の最上部に記録済みシートを排紙する構成の画像形成装置においては、その読取部の原稿載置台上にブック原稿のような厚手の原稿を載置した場合、原稿カバーが半開きの状態になるため排紙される記録済みシートが原稿カバーに干渉してシートジャムを起こすおそれがある。このため、このような構成の画像形成装置では、原稿カバーが開放されている状態で排紙される記録済みシートのシートジャムをどのようにして解消するかが問題となる。
【００１１】
特許文献２記載の画像形成装置においては、その画像形成部から装置本体の上面へ至る排紙通路を原稿カバーの開閉軸の近傍に設けることによって、原稿カバーが半開きの状態でも記録済みシートを装置本体の最上部に排紙できるように構成している。
【００１２】
しかしながら、特許文献２記載の画像形成装置では、記録済みシートの排紙経路を原稿カバーの回動軸の近傍に設けているため、画像形成部から装置本体上部の排紙部に至る記録済みシートの排紙経路の構成が複雑になりやすい。
【００１３】
なお、ここでは、記録済みシートを装置本体の上面に排紙する構成の画像形成装置におけるシートジャムについて述べたが、装置本体の側面に設けた開閉自在のシート排紙台に記録済みシートを排紙する構成の画像形成装置では、前記シート排紙台を開放し忘れたまま記録済みシートを排紙した場合にシートジャムが発生する。
【００１４】
本発明は、かかる点に鑑みてなされたもので、排紙される記録済みシートのシートジャムを防止することができる画像形成装置を提供することを目的とする。
【課題を解決するための手段】
【００１５】
かかる課題を解決するため、請求項１記載の画像形成装置は、原稿を載置する原稿載置台と、前記原稿載置台の原稿載置面を覆う開閉自在な原稿カバーと、画像形成を終えて排紙される記録済みシートを前記原稿カバーの開閉領域外の部位に排紙するシート排紙経路と、前記シート排紙経路を通して排紙される前記記録済みシートを載置する開閉自在なシート排紙台と、前記原稿カバーが開かれたときに前記シート排紙台を開放するシート排紙台開放手段と、を具備する構成を採る。
【００１６】
この構成によれば、前記原稿カバーが開かれたときには前記シート排紙台開放手段により前記シート排紙台が開放された状態となり、画像形成を終えた記録済みシートが原稿カバーの開閉領域外の部位に排紙するシート排紙経路を通してシート排紙台に排紙される。従って、この構成においては、前記シート排紙台の開き忘れがなく、前記記録済みシートの排紙時におけるシートジャムを確実に防止することができる。
【００１７】
請求項２記載の画像形成装置は、原稿を載置する原稿載置台と、前記原稿載置台の原稿載置面を覆う開閉自在な原稿カバーと、前記原稿カバーの開閉状態に応じて画像形成を終えて排紙される記録済みシートのシート排紙経路を前記原稿カバーの上方部位に排紙する第１のシート排紙経路と前記原稿カバーの開閉領域外の部位に排紙する第２のシート排紙経路とのいずれかに切り替えるシート排紙経路切替手段と、前記第１のシート排紙経路を通して排紙される前記記録済みシートを載置する第１のシート排紙台と、前記第２のシート排紙経路を通して排紙される前記記録済みシートを載置する開閉自在な第２のシート排紙台と、前記原稿カバーが開かれたときに前記第２のシート排紙台を開放するシート排紙台開放手段と、を具備する構成を採る。
【００１８】
この構成によれば、例えば、ブック原稿などの厚手の原稿が前記原稿載置台上に載置されて前記原稿カバーが完全に閉まらない場合には、前記シート排紙台開放手段により前記第２のシート排紙台が開放される。これにより、この構成においては、原稿カバーが開放されている場合には、記録済みシートが前記第２のシート排紙経路を通して前記原稿カバーの開閉領域外の部位に排紙されるので、前記原稿カバーと前記記録済みシートとの干渉によるシートジャムを防止することができる。
【００１９】
請求項３記載の画像形成装置は、請求項１または請求項２記載の発明において、前記原稿カバーの開閉状態を検出する原稿カバー状態検出手段を具備する構成を採る。
【００２０】
この構成によれば、請求項１または請求項２記載の発明の効果に加えて、前記原稿カバー状態検出手段により、前記原稿カバーの開閉状態を検出することができるので、前記原稿カバーが閉じた場合に前記第２のシート排紙台を初期位置に復帰させるように構成することが可能になる。
【００２１】
請求項４記載の画像形成装置は、請求項３記載の発明において、画像形成を開始するスタートボタンが押されたとき前記原稿カバー状態検出手段が前記原稿カバーの開状態を検出している場合には前記シート排紙台開放手段を動作させる構成を採る。
【００２２】
この構成によれば、請求項３記載の発明の効果に加えて、前記原稿カバーが開いている状態で、例えば前記第２のシート排紙台が誤って閉じられた場合でも、前記スタートボタンが押されることにより前記第２のシート排紙台が開放されるので、記録済みシートがシートジャムを起こすことがなくなる。
【００２３】
請求項５記載の画像形成装置は、請求項１から請求項４のいずれかに記載の発明において、前記原稿載置台にブック原稿を載置したときに押されるブック原稿選択ボタンを備え、前記ブック原稿選択ボタンが押されたときに前記シート排紙台開放手段を動作させる構成を採る。
【００２４】
この構成によれば、請求項１から請求項４のいずれかに記載の発明の効果に加えて、前記ブック原稿の頁めくりなどを行うために原稿カバーを一時的に開閉しても記録済みシートのシート排紙経路が誤って切り替えられてしまうことがない。
【００２５】
請求項６記載の画像形成装置は、請求項２から請求項５のいずれかに記載の発明において、前記第２のシート排紙台は、前記第１のシート排紙経路および前記第２のシート排紙経路を形成するシートガイド板を兼ねている構成を採る。
【００２６】
この構成によれば、請求項２から請求項５のいずれかに記載の発明の効果に加えて、前記第２のシート排紙台が、前記第１のシート排紙経路および前記第２のシート排紙経路を形成するシートガイド板を兼ねているので、装置の低廉化および簡素化を図ることができる。
【００２７】
請求項７記載の画像形成装置は、請求項２から請求項６のいずれかに記載の発明において、前記第２のシート排紙台は、装置本体の外面をなす外装板を兼ねている構成を採る。
【００２８】
この構成によれば、請求項２から請求項６のいずれかに記載の発明の効果に加えて、前記第２のシート排紙台が、装置本体の外面をなす外装板を兼ねているので、装置の低廉化および簡素化を図ることができる。
【００２９】
請求項８記載の画像形成装置は、請求項２から請求項７のいずれかに記載の発明において、前記シート排紙経路切替手段は、前記第１のシート排紙経路および前記第２のシート排紙経路を形成するシートガイド板を兼ねている構成を採る。
【００３０】
この構成によれば、請求項２から請求項７のいずれかに記載の発明の効果に加えて、前記シート排紙経路切替手段が、前記第１のシート排紙経路および前記第２のシート排紙経路を形成するシートガイド板を兼ねているので、装置の低廉化および簡素化を図ることができる。
【００３１】
請求項９記載の画像形成装置は、請求項２から請求項８のいずれかに記載の発明において、前記第２のシート排紙台と前記シート排紙経路切替手段とを連動させる連動機構を具備する構成を採る。
【００３２】
この構成によれば、請求項２から請求項８のいずれかに記載の発明の効果に加えて、前記連動機構により前記第２のシート排紙台と前記シート排紙経路切替手段とが連動されるので、前記第２のシート排紙台と前記シート排紙経路切替手段とを個別に駆動させる必要がなく、前記第２のシート排紙台と前記シート排紙経路切替手段との駆動手段を安価かつ簡素に構成できる。ここで、前記第２のシート排紙台と前記シート排紙経路切替手段とを個別に駆動させた場合には一方の動作不良によりシートジャムが起こるが、この構成においては、一方のみが動作不良を起こしてシートジャムが起こることがない。
【００３３】
請求項１０記載の画像形成装置は、請求項２から請求項９のいずれかに記載の発明において、前記シート排紙台開放手段は、前記原稿カバーが閉じられている状態で前記第２のシート排紙台を閉位置に係止し、前記原稿カバーが開けられた状態で前記係止を解除して前記第２のシート排紙台を開放する排紙台係止手段を具備する構成を採る。
【００３４】
この構成によれば、請求項２から請求項９のいずれかに記載の発明の効果に加えて、前記原稿カバーが閉じられている状態では、前記第２のシート排紙台は前記排紙台係止手段により係止されているので、この第２のシート排紙台が誤って開放されることがない。従って、この構成においては、前記原稿カバーが閉じた状態で前記記録済みシートが前記原稿カバーの上方部位に排紙されている際に前記第２のシート排紙台が誤って開放されることによるシートジャムを防止することができる。
【００３５】
請求項１１記載の画像形成装置は、請求項２から請求項１０のいずれかに記載の発明において、前記第１のシート排紙台および前記第２のシート排紙台は、開閉自在な１つのシート排紙トレイからなり、前記シート排紙トレイの一方の面が前記第１のシート排紙台をなし、前記シート排紙トレイの他方の面が前記第２のシート排紙台をなす構成を採る。
【００３６】
この構成によれば、請求項２から請求項１０のいずれかに記載の発明の効果に加えて、前記第１のシート排紙台および前記第２のシート排紙台が、開閉自在な１つのシート排紙トレイからなるので、装置の低廉化および簡素化を図ることができる。また、この構成においては、前記シート排紙トレイの開閉により前記第１のシート排紙台と前記第２のシート排紙台との切り替えが行われるので、前記第１のシート排紙台と前記第２のシート排紙台との記録済みシートの排紙位置が共に装置本体の最上部位となり、記録済みシートの取り出しが容易になる。
【００３７】
請求項１２記載の画像形成装置は、請求項２から請求項１１のいずれかに記載の発明において、給紙する原稿を載置する原稿給紙台と、前記原稿給紙台上に載置された原稿を給紙する原稿給紙手段と、前記原稿給紙手段により給紙される原稿の画像情報を読み取る原稿読取手段と、前記原稿読取手段により前記画像情報の読み取りを終えた原稿を排紙する原稿排紙手段と、前記原稿排紙手段により排紙された原稿を載置する原稿排紙台と、を有する自動原稿給紙装置を具備する構成を採る。
【００３８】
この構成によれば、請求項２から請求項１１のいずれかに記載の効果に加えて、前記自動原稿給紙装置の前記原稿給紙台上に載置した原稿の画像情報の読み取り途中もしくは記録済みシートの排紙途中で前記原稿カバーを誤って開放しても、排紙中の記録済みシートをシートジャムさせずに前記第２のシート排紙台上に排紙させることができる。
【発明の効果】
【００３９】
本発明によれば、原稿カバーが開かれた状態では画像形成を終えた記録済みシートが原稿カバーの開閉領域外の部位に排紙するシート排紙経路を通してシート排紙台に排紙されるので、記録済みシートの排紙時におけるシートジャムを防止することができる。
【発明を実施するための最良の形態】
【００４０】
本発明の骨子は、原稿載置台の原稿載置面を覆う原稿カバーが開かれたときに、画像形成後の記録済みシートを前記原稿カバーの開閉領域外の部位に排紙して載置するシート排紙台を開放するようにすることである。
【００４１】
以下、本発明の実施の形態について、図面を参照して詳細に説明する。なお、各図において同一の構成または機能を有する構成要素および相当部分には、同一の符号を付してその説明は繰り返さない。
【００４２】
（実施の形態１）
まず、本発明の実施の形態１に係る画像形成装置について説明する。本実施の形態１に係る画像形成装置は、紙文書やブック原稿などを複写する複写機能、ＰＣなどから送信される電子データなどをプリントアウトするプリント機能、およびＦＡＸなどと送受信するファクシミリ機能等を有する多機能の複合機としての構成を備えている。なお、本発明は、単一の機能のみを備えた画像形成装置でも適用可能であることはいうまでもない。
【００４３】
図１は、本発明の実施の形態１に係る画像形成装置の外観を示す概略斜視図である。図２は、本発明の実施の形態１に係る画像形成装置の全体的な構成を示す概略断面図である。
【００４４】
図２に示すように、この画像形成装置１００は、受信部１１０、読取部１２０、画像形成部１３０、自動原稿給紙装置１４０、シート排紙部１５０、給紙部１７０、搬送系１８０などを具備している。
【００４５】
受信部１１０は、ＰＣ、ＦＡＸ、または記憶媒体（メモリカード）などの外部機器からＬＡＮ（無線ＬＡＮを含む）や公衆回線を介して入力される画像情報を受信する。画像形成装置１００には、ＬＡＮケーブルが接続されるＬＡＮポート、公衆回線が接続されるモジュラー、メモリカードが装着されるカードスロットなどが配設されている（いずれも図示せず）。
【００４６】
読取部１２０は、図１に示すように、画像形成装置１００の装置本体１０１の上部に配設されている。本例の読取部１２０は、図２に示すように、ユーザの手操作で複写するシート原稿またはブック原稿を載置する原稿載置台（コンタクトガラス）１２１、原稿載置台１２１の原稿載置面１２１ａを覆う開閉自在な原稿カバー１２２、シート原稿（または、ブック原稿）の画像を走査して画像情報を読み取る走査光学系１２３などで構成されている。
【００４７】
この読取部１２０には、原稿カバー１２２の開閉状態を検出する原稿カバー状態検出手段としての原稿カバーセンサ１２４が配設されている。本例の原稿カバーセンサ１２４は、原稿カバー１２２が開かれたときにオン状態になって原稿カバー開放信号を出力するように設定されている。
【００４８】
また、この読取部１２０には、原稿載置台１２１に載置されたシート原稿またはブック原稿の有無を検出する手動原稿検出手段としての原稿サイズセンサ（不図示）が配設されている。
【００４９】
走査光学系１２３は、光源１２３ａ、ミラー１２３ｂ、レンズ１２３ｃおよび撮像素子（ＣＣＤ）１２３ｄなどで構成されている。原稿カバー１２２は、後述する自動原稿給紙装置１４０の原稿排紙台としての原稿排紙トレイ１４５を兼ねた構成を有している。
【００５０】
画像形成部１３０は、画像形成装置１００の装置本体１０１のほぼ中央部に配設されている。本例の画像形成部１３０は、感光体１３１、帯電器１３２、露光装置１３３、現像装置１３４、転写ローラ１３５、クリーニング装置１３６および定着装置１３７などで構成されている。
【００５１】
自動原稿給紙装置１４０は、図１に示すように、読取部１２０の上部に配設されている。本例の自動原稿給紙装置１４０は、図２に示すように、原稿給紙台としての原稿給紙トレイ１４１、原稿給紙手段としての原稿給紙ローラ１４２、原稿読取手段としてのスキャナ１４３、原稿排紙手段としての原稿排紙ローラ１４４、および原稿排紙台としての原稿排紙トレイ１４５などを備えている。
【００５２】
原稿給紙トレイ１４１は、自動給紙する原稿Ｏを載置する。この原稿給紙トレイ１４１には、載置された原稿Ｏの側面位置を位置決めする変位自在な原稿位置規制板１４６が設けられている。原稿給紙ローラ１４２は、原稿給紙トレイ１４１に載置（セット）された原稿Ｏを１枚ずつ分離してスキャナ１４３に向けて給紙する。スキャナ１４３は、原稿給紙ローラ１４２により分離給紙された原稿Ｏの画像情報を読み取る。原稿排紙ローラ１４４は、スキャナ１４３により画像情報の読み取りを終えた原稿Ｏを原稿排紙トレイ１４５上に排紙する。
【００５３】
本例の自動原稿給紙装置１４０は、図３に示すように、原稿給紙トレイ１４１に載置（セット）された原稿Ｏを、原稿給紙ローラ１４２により１枚ずつ分離給紙し、原稿排紙ローラ１４４により原稿給紙トレイ１４１の下方に配設された原稿排紙トレイ１４５上に排紙するように構成されている。また、この自動原稿給紙装置１４０は、原稿カバー１２２と共に、装置本体１０１に対して開閉自在に構成されている。
【００５４】
シート排紙部１５０は、第１のシート排紙台としての第１のシート排紙トレイ１５１、第１のシート排紙ローラ１５２、第１のシート排紙経路１５３を形成する第１の第１のシート排紙ガイド板１５４、第２のシート排紙台としての第２のシート排紙トレイ１５５、第２のシート排紙ローラ１５６、シート排紙経路切替手段としてのシート排紙経路切替板１５７などを備えている。
【００５５】
ここで、本例の第２のシート排紙トレイ１５５とシート排紙経路切替板１５７とは、図４に示すように、第１のシート排紙経路１５３および第２のシート排紙経路１５８を形成する第２のシート排紙ガイド板を兼ねている。また、第２のシート排紙トレイ１５５は、装置本体１０１の外面をなす外装板を兼ねている。
【００５６】
また、第２のシート排紙トレイ１５５は、支軸１５５ａにより装置本体１０１に対して開閉自在に配設されている。そして、第２のシート排紙トレイ１５５は、原稿カバーセンサ１２４がオン状態になることにより、図４に示すように、開放されるように構成されている。
【００５７】
つまり、本例の第２のシート排紙トレイ１５５は、原稿カバーセンサ１２４がオフ状態の場合には、図２に示すように、その基部に形成された係止爪１５５ｂがシート排紙台開放手段としての係止ソレノイド１５５ｃにより係止されている。
【００５８】
そして、この第２のシート排紙トレイ１５５は、原稿カバーセンサ１２４がオン状態になると、係止ソレノイド１５５ｃが励磁されて係止爪１５５ｂの係止が解かれる。これにより、第２のシート排紙トレイ１５５は、コイルスプリング１５５ｄの緊縮力により図４において反時計方向に回動して開放される。
【００５９】
また、シート排紙経路切替板１５７は、原稿カバーセンサ１２４がオン状態になることにより、画像形成後の記録済みシートＰｓを第２のシート排紙トレイ１５５に排紙するように、記録済みシートＰｓのシート排紙経路を第２のシート排紙経路１５８に切り替えるように構成されている。
【００６０】
すなわち、本例の第２のシート排紙トレイ１５５とシート排紙経路切替板１５７とは、図４に示すように、リンク１５９により互いに連結されることにより、それぞれの支軸１５５ａ，１５７ａとリンク１５９とで４節リンク機構からなる連動機構をなし、互いに連動するように構成されている。
【００６１】
また、本例のシート排紙部１５０は、自動原稿給紙装置１４０と一体的に構成されている。
【００６２】
ここで、第１のシート排紙トレイ１５１は、原稿給紙トレイ１４１の上部に配設されており、第１のシート排紙経路１５３を通して装置本体の上方に排紙される記録済みシートＰｓを載置する。第１のシート排紙ローラ１５２は、第１のシート排紙トレイ１５１上に記録済みシートＰｓを排紙する。一方、第２のシート排紙ローラ１５６は、通常は図３に示すように、前記第２のシート排紙ガイド板および第１のシート排紙ガイド板１５４に沿って、第１のシート排紙ローラ１５２に向けて記録済みシートＰｓを搬送する。
【００６３】
給紙部１７０は、図２に示すように、コピー用紙またはＯＨＰシートなどの記録媒体としてのシートＰが収容された給紙カセット１７１を収納するためのカセット収納部１７２、および給紙カセット１７１に収容されているシートＰを１枚ずつ分離して給紙する分離給紙装置１７３などで構成されている。
【００６４】
搬送系１８０は、図２に示すように、給紙部１７０から画像形成部１３０に向けてシートＰをガイドする給紙ガイド板１８１を備えている。この給紙ガイド板１８１により給紙経路１８１ａが形成されている。この給紙経路１８１ａの出口には、シートＰを所定のタイミングで画像形成部１３０に送り込むレジストローラ１８２が配設されている。
【００６５】
また、搬送系１８０は、画像形成部１３０の定着装置１３７で定着されたシートＰを装置本体１０１の最上部のシート排紙部１５０に向けてガイドするシート排紙ガイド板１８３を備えている。このシート排紙ガイド板１８３によりシート排紙経路１８３ａが形成されている。
【００６６】
また、本例の搬送系１８０は、記録済みシートＰｓを、その画像形成面を反転させて給紙経路１８１ａに送り込む反転搬送ローラ１８５および反転搬送ガイド板１８６により形成された反転搬送経路１８６ａを有している。
【００６７】
この反転搬送経路１８６ａと、画像形成部１３０の定着装置１３７から排紙されたシートＰの排紙搬送経路１８７ａとの合流部には、排紙搬送経路１８７ａを一旦抜け出たシートＰの搬送経路を、反転搬送経路１８６ａがわに切り替える反転切替爪１８８が配設されている。また、反転切替爪１８８の排紙方向下流側には、シートＰを上面排紙方向および反転搬送方向に搬送する正逆回転ローラ１８９が配設されている。
【００６８】
次に、本実施の形態１に係る画像形成装置の動作について説明する。
【００６９】
この画像形成装置１００は、外部入力プリントモード、自動複写モード、手動ブック原稿複写モード、手動シート原稿複写モード、の４つの印刷モードを有している。
【００７０】
ここで、外部入力プリントモードとは、受信部１１０に入力されたＰＣ、ＦＡＸおよびメモリカードなどの外部機器からの画像情報によりプリントアウトする印刷モードである。
【００７１】
自動複写モードとは、原稿給紙トレイ１４１上にセットされた原稿Ｏを自動原稿給紙装置１４０のスキャナ１４３で読み取った画像情報により複写する印刷モードである（図３参照）。
【００７２】
手動ブック原稿複写モードとは、手操作により原稿載置台１２１の原稿載置面１２１ａ上に載置したブック原稿ＢＯを読取部１２０のＣＣＤ１２３ｄで読み取った画像情報により複写する印刷モードである（図４参照）。
【００７３】
手動シート原稿複写モードとは、手操作により原稿載置台１２１の原稿載置面１２１ａ上に載置したシート原稿を読取部１２０のＣＣＤ１２３ｄで読み取った画像情報により複写する印刷モードである（図２参照）。
【００７４】
まず、外部入力プリントモードについて説明する。この外部入力プリントモードでは、原稿カバー１２２が閉じられた状態になっている。そして、この外部入力プリントモードでは、ＰＣ、ＦＡＸおよびメモリカードなどの外部機器から受信部１１０に入力された画像情報（画像データ）が、装置本体１０１に配設されている記憶手段としてのメモリ（不図示）に記憶（蓄積）される。このメモリに蓄積された画像データは、図示しない画像処理装置によって印刷データに変換されて所定のタイミングで露光装置１３３に入力される。
【００７５】
図２において、この外部入力プリントモードによる画像形成の指示が出されると、感光体１３１が矢印方向に回転し、感光体１３１の表面が帯電器１３２により一様に帯電される。露光装置１３３は、この一様に帯電された感光体１３１の表面に、前記画像処理装置によって変換された印刷データをレーザ光として照射する。このレーザ光の照射により、感光体１３１の表面に外部機器から受信部１１０に入力された画像情報（画像データ）の静電潜像が形成される。
【００７６】
この静電潜像は、現像装置１３４から供給されるトナーにより可視像（トナー像）化される。そして、このトナー像は、レジストローラ１８２によって所定のタイミングで給紙されたシートＰ上に転写ローラ１３５により転写された後、定着装置１３７によりシートＰ上に定着される。
【００７７】
このようにして外部機器から受信部１１０に入力された画像情報（画像データ）の画像が形成された記録済みシートＰｓは、シート排紙経路１８３ａを通して第２のシート排紙ローラ１５６により第１のシート排紙経路１５３に搬送される。この第１のシート排紙経路１５３に搬送された記録済みシートＰｓは、第１のシート排紙ローラ１５２により第１のシート排紙トレイ１５１上に排紙されて載置される。
【００７８】
次に、自動複写モードについて説明する。この自動複写モードでは、原稿カバー１２２が閉じられた状態になっている。そして、この自動複写モードでは、図３に示すように、自動原稿給紙装置１４０の原稿給紙トレイ１４１上に自動給紙する原稿Ｏをセットする。これにより、自動原稿給紙装置１４０により給紙される原稿Ｏの有無を検出する原稿検出手段としての原稿センサ（不図示）がオンする。この原稿センサのオンによって、原稿Ｏの画像情報を読み取るスキャナ１４３のランプの発光準備などが行われる。
【００７９】
前記原稿センサがオンしている状態で、ユーザが装置本体１０１の操作パネル１０２上のコピーボタン（画像形成を開始するスタートボタン）１０３を押すと、図３に示すように、原稿給紙トレイ１４１上の原稿Ｏが原稿給紙ローラ１４２により給紙される。これにより、原稿Ｏがスキャナ１４３の原稿読み取りガラスに密着しながら搬送され原稿Ｏの画像情報が読み取られる。読み取りが終了した原稿Ｏは、図４に示すように、原稿排紙ローラ１４４により自動原稿給紙装置１４０の原稿排紙トレイ１４５上に排紙される。
【００８０】
このようにして、自動原稿給紙装置１４０のスキャナ１４３で読み取られた原稿Ｏの画像情報（画像データ）は、前記外部入力プリントモードの場合と同様に、前記メモリに記憶される。このメモリに記憶された画像データは、図示しない画像処理装置によって印刷データに変換され所定のタイミングで露光装置１３３に入力される。
【００８１】
この露光装置１３３に入力された印刷データは、前記外部入力プリントモードの場合と同様に、所定のタイミングで一様に帯電された感光体１３１の表面にレーザ光として照射され、定着装置１３７によりシートＰ上にトナー像として定着される。
【００８２】
この自動複写モードにおいて画像形成された記録済みシートＰｓは、前記外部入力プリントモードの場合と同じく、シート排紙経路１８３ａを通してシート排紙部１５０に向けて搬送される。さらに、この記録済みシートＰｓは、第２のシート排紙ローラ１５６により第１のシート排紙ガイド板１５４に沿って搬送され、図３に示すように、第１のシート排紙ローラ１５２により原稿給紙トレイ１４１の上面部位に配設した第１のシート排紙トレイ１５１上に排紙されて載置される。
【００８３】
次に、手動ブック原稿複写モードについて説明する。この手動ブック原稿モードでは、原稿載置台１２１の原稿載置面１２１ａ上に載置したブック原稿ＢＯの厚さにより原稿カバー１２２が開かれた状態（半開き状態）になっている。
【００８４】
このように、原稿カバー１２２が開かれた状態になっている場合には、前述したように、原稿カバーセンサ１２４がオン状態になり、図４に示すように、装置本体１０１に開閉自在に配設された第２のシート排紙トレイ１５５が開放される。
【００８５】
また、原稿カバーセンサ１２４がオン状態になることにより、この第２のシート排紙トレイ１５５の開放動作に連動して、シート排紙経路切替板１５７によりシート排紙経路が第２のシート排紙経路１５８に切り替えられる。
【００８６】
このような状態で、前記原稿サイズセンサにより原稿載置台１２１上にブック原稿ＢＯが載置されていることが検出され、ユーザにより装置本体の操作パネル１０２上のコピーボタン１０３が押されると、図４において、走査光学系１２３が動作してＣＣＤ１２３ｄがブック原稿ＢＯの画像データが読み取られる。このＣＣＤ１２３ｄが読み取った画像データは、図示しない画像処理装置によって印刷データに変換された後、所定のタイミングで露光装置１３３に入力される。
【００８７】
そして、この手動ブック原稿複写モードにより画像形成された記録済みシートＰｓは、シート排紙経路１８３ａを通して第２のシート排紙ローラ１５６により第２のシート排紙トレイ１５５上に排紙されて載置される。
【００８８】
次に、手動シート原稿複写モードについて説明する。この手動シート原稿複写モードでは、図２において、読取部１２０の原稿カバー１２２を自動原稿給紙装置１４０と共に開放して原稿載置台１２１の原稿載置面１２１ａを露呈させる。そして、この露呈した原稿載置台１２１の原稿載置面１２１ａ上にユーザの手操作で複写するシート原稿Ｓを載置する。
【００８９】
この手動シート原稿複写モードでは、原稿載置面１２１ａ上にシート原稿Ｓを載置した後、ユーザが原稿カバー１２２を閉じた状態あるいは開いた状態のいずれかの状態で画像形成をスタートさせることが想定される。
【００９０】
ここで、図２に示すように、原稿カバー１２２が閉じられた状態、つまり原稿カバーセンサ１２４がオフ状態の場合には、第２のシート排紙トレイ１５５が閉じた状態になっている。
【００９１】
そして、シート排紙経路切替板１５７は、画像形成後の記録済みシートＰｓを第１のシート排紙トレイ１５１に排紙するように、記録済みシートＰｓのシート排紙経路を第１のシート排紙経路１５３に切り替えた状態になっている。
【００９２】
この状態で、前記原稿サイズセンサにより原稿載置台１２１上にシート原稿Ｓが載置されていることが検出され、ユーザにより装置本体の操作パネル１０２上のコピーボタン１０３が押されると、走査光学系１２３が動作してＣＣＤ１２３ｄがシート原稿Ｓの画像データが読み取られる。このＣＣＤ１２３ｄが読み取った画像データは、図示しない画像処理装置によって印刷データに変換された後、所定のタイミングで露光装置１３３に入力される。
【００９３】
この露光装置１３３に入力された印刷データは、前記外部入力プリントモードおよび前記自動複写モードの場合と同様に、所定のタイミングで一様に帯電された感光体１３１の表面にレーザ光として照射され、定着装置１３７によりシートＰ上にトナー像として定着される。
【００９４】
この手動シート原稿複写モードにおいて画像形成された記録済みシートＰｓは、シート排紙経路１８３ａを通してシート排紙部１５０に向けて搬送され、第２のシート排紙ローラ１５６により第１のシート排紙ガイド板１５４に沿って搬送される。
【００９５】
そして、この記録済みシートＰｓは、前記外部入力プリントモードおよび前記自動複写モードの場合と同じく、第１のシート排紙ローラ１５２により原稿給紙トレイ１４１の上面部位に配設した第１のシート排紙トレイ１５１上に排紙されて載置される。
【００９６】
一方、原稿カバー１２２が開かれた状態、つまり原稿カバーセンサ１２４がオン状態の場合には、第２のシート排紙トレイ１５５が閉じた状態になっている。
【００９７】
そして、シート排紙経路切替板１５７は、画像形成後の記録済みシートＰｓを第２のシート排紙トレイ１５５に排紙するように、記録済みシートＰｓのシート排紙経路を第２のシート排紙経路１５８に切り替えた状態になっている。
【００９８】
この状態で、前記原稿サイズセンサにより原稿載置台１２１上にシート原稿Ｓが載置されていることが検出され、ユーザにより装置本体の操作パネル１０２上のコピーボタン１０３が押されると、前記手動ブック原稿複写モードの場合と同じく、画像形成された記録済みシートＰｓが、シート排紙経路１８３ａを通して第２のシート排紙ローラ１５６により第２のシート排紙トレイ１５５上に排紙されて載置される。
【００９９】
上述のように、本実施の形態１に係る画像形成装置１００においては、原稿カバー１２２が開かれたまま画像形成が実行された場合には、第２のシート排紙トレイ１５５が開放された状態となる。
【０１００】
また、この画像形成装置１００においては、ブック原稿ＢＯなどの厚手の原稿が原稿載置台１２１の原稿載置面１２１ａ上に載置されて原稿カバー１２２が完全に閉まらない場合にも、第２のシート排紙トレイ１５５が開放される。
【０１０１】
そして、このような場合には、画像形成を終えた記録済みシートＰｓが原稿カバー１２２の開閉領域外の部位に排紙する第２のシート排紙経路１５８を通して第２のシート排紙トレイ１５５に排紙される。
【０１０２】
従って、この画像形成装置１００においては、第２のシート排紙トレイ１５５の開き忘れがなく、記録済みシートＰｓの排紙時におけるシートジャムを確実に防止することができる。
【０１０３】
また、この画像形成装置１００においては、上述のように、原稿カバー１２２が開かれている状態では、記録済みシートＰｓが第２のシート排紙経路１５８を通して原稿カバー１２２の開閉領域外の部位に排紙されるので、原稿カバー１２２と記録済みシートＰｓとの干渉によるシートジャムを防止することができる。
【０１０４】
また、この画像形成装置１００においては、原稿カバーセンサ１２４により、原稿カバー１２２の開閉状態を検出することができるので、原稿カバー１２２が閉じた場合に第２のシート排紙トレイ１５５を初期位置に復帰させるように構成することが可能になる。
【０１０５】
一方、この画像形成装置１００の操作パネル１０２には、前記手動ブック原稿複写モードのように原稿載置台１２１にブック原稿ＢＯを載置したときに押されるブック原稿選択ボタン１０４が配設されている。そして、この画像形成装置１００は、ブック原稿選択ボタン１０４が押された場合に第２のシート排紙トレイ１５５が開放した状態に維持されるように構成されている。従って、この画像形成装置１００においては、ブック原稿ＢＯの頁めくりなどを行うために原稿カバー１２２を一時的に開閉しても記録済みシートＰｓのシート排紙経路が誤って切り替えられてしまうことがない。
【０１０６】
また、この画像形成装置１００は、第２のシート排紙トレイ１５５が、第１のシート排紙経路１５３および第２のシート排紙経路１５８を形成するシートガイド板を兼ねているので、装置の低廉化および簡素化を図ることができる。
【０１０７】
また、この画像形成装置１００は、第２のシート排紙トレイ１５５が、装置本体１０１の外面をなす外装板を兼ねているので、装置の低廉化および簡素化を図ることができる。
【０１０８】
また、この画像形成装置１００は、シート排紙経路切替板１５７が、第１のシート排紙経路１５３および第２のシート排紙経路１５８を形成するシートガイド板を兼ねているので、装置の低廉化および簡素化を図ることができる。
【０１０９】
また、この画像形成装置１００は、前記連動機構により第２のシート排紙トレイ１５５とシート排紙経路切替板１５７とが連動されるので、これらを個別に駆動させる必要がなく、これらの駆動手段を安価かつ簡素に構成できる。ここで、第２のシート排紙トレイ１５５とシート排紙経路切替板１５７とを個別に駆動させた場合には一方の動作不良によりシートジャムが起こるが、この画像形成装置１００においては、第２のシート排紙トレイ１５５とシート排紙経路切替板１５７との一方のみが動作不良を起こしてシートジャムが起こることがない。
【０１１０】
（実施の形態２）
次に、本発明の実施の形態２に係る画像形成装置について説明する。
【０１１１】
図５は、本発明の実施の形態２に係る画像形成装置の全体的な構成を示す概略断面図である。図６は、本発明の実施の形態２に係る画像形成装置の手動ブック原稿複写モード時の動作態様を示す概略断面図である。
【０１１２】
図５に示すように、この画像形成装置５００においては、前記第２のシート排紙台としての第２のシート排紙トレイ５０１が、装置本体１０１の側面に支軸５０１ａにより開閉自在に取り付けられている。
【０１１３】
本例の第２のシート排紙トレイ５０１は、原稿カバーセンサ１２４がオフ状態の場合には、図５に示すように、その基部に形成された係止爪５０１ｂがシート排紙台開放手段としての係止ソレノイド５０１ｃにより係止されている。
【０１１４】
そして、この第２のシート排紙トレイ５０１は、原稿カバー１２２が開かれて原稿カバーセンサ１２４がオン状態になると、係止ソレノイド５０１ｃが励磁されて係止爪５０１ｂの係止が解かれる。
【０１１５】
これにより、第２のシート排紙トレイ５０１は、コイルスプリング５０１ｄの緊縮力により図５において反時計方向に回動し、図６に示すように開放される。なお、本例では、開放された状態の第２のシート排紙トレイ５０１を閉じる場合、第２のシート排紙トレイ５０１をコイルスプリング５０１ｄの緊縮力に抗して図６において時計方向に回動させ、その係止爪５０１ｂを係止ソレノイド５０１ｃにより係止させるようにしているが、この閉じる動作も自動的に行うようにしても良い。
【０１１６】
一方、本例の画像形成装置５００における記録済みシートＰｓのシート排紙経路の切り替えは、正逆回転ローラ１８９のシート排紙方向下流側に配設されたシート排紙経路切替爪５０２によって行われる。
【０１１７】
このシート排紙経路切替爪５０２は、原稿カバー１２２が開かれて原稿カバーセンサ１２４がオン状態になると、記録済みシートＰｓを第２のシート排紙トレイ５０１に排紙するように、記録済みシートＰｓのシート排紙経路を第２のシート排紙経路１５８に切り替えるように構成されている。
【０１１８】
このようにして、第２のシート排紙トレイ５０１が開放された状態では、図６に示すように、記録済みシートＰｓが第２のシート排紙経路１５８を通って第２のシート排紙ローラ５０３により第２のシート排紙トレイ５０１上に排紙されて載置される。
【０１１９】
上述のように、本実施の形態２に係る画像形成装置５００においては、原稿カバー１２２が閉じられている状態では、図５に示すように、その係止爪５０１ｂが係止ソレノイド５０１ｃにより係止されているので、第２のシート排紙トレイ５０１が誤って開放されることがない。
【０１２０】
従って、この画像形成装置５００においては、原稿カバー１２２が閉じた状態で記録済みシートＰｓが第１のシート排紙経路１５３を通って原稿カバー１２２の上方部位の第１のシート排紙トレイ１５１上に排紙されている際に第２のシート排紙トレイ５０１が誤って開放されることによるシートジャムを防止することができる。
【０１２１】
なお、本例の画像形成装置５００におけるその他の構成および動作は、実施の形態１に係る画像形成装置１００の構成および動作と同様であるので、その説明を省略する。
【０１２２】
（実施の形態３）
次に、本発明の実施の形態３に係る画像形成装置について説明する。
【０１２３】
図７は、本発明の実施の形態３に係る画像形成装置のシート排紙部を閉じたときの態様を示す概略斜視図である。図８は、本発明の実施の形態３に係る画像形成装置のシート排紙部を開いたときの態様を示す概略斜視図である。
【０１２４】
図７および図８に示すように、この画像形成装置７００は、前記第１のシート排紙台および前記第２のシート排紙台が、開閉自在な１つのシート排紙トレイ７０１からなり、このシート排紙トレイ７０１の、図７に示す一方の面が第１のシート排紙台７０１Ａをなし、図８に示す他方の面が第２のシート排紙台７０１Ｂをなすように構成されている。
【０１２５】
すなわち、本例の画像形成装置７００は、原稿カバー１２２の開閉に伴って、シート排紙部１５０がシート排紙トレイ７０１と共に開閉するように構成されている。
【０１２６】
そして、シート排紙トレイ７０１は、図７に示すように、シート排紙部１５０が閉じた状態で、第１のシート排紙台７０１Ａとして機能するように装置本体１０１の最上部位に位置する。
【０１２７】
また、シート排紙トレイ７０１は、図８に示すように、シート排紙部１５０が開いた状態で、第２のシート排紙台７０１Ｂとして機能するように、装置本体１０１の背面がわに開放される。
【０１２８】
図９は、本発明の実施の形態３に係る画像形成装置のシート排紙部を閉じたときのシート排紙部の構成を示す概略断面図である。図１０は、本発明の実施の形態３に係る画像形成装置のシート排紙部を開いたときのシート排紙部の構成を示す概略断面図である。
【０１２９】
図９および図１０に示すように、本例の画像形成装置７００におけるシート排紙部１５０は、扁平な筐体７０２の側壁７０２ａ，７０２ｂが記録済みシートＰｓのシート排紙経路を形成するシートガイド板をなしている。
【０１３０】
このシート排紙部１５０は、そのシート排紙経路上流部に配置された一対のシート搬送ローラ７０３の一方の支軸７０３ａを回動中心として、開閉自在に軸支されている。このシート排紙部１５０の回動範囲は、位置決めピン７０４，７０５によって規制されている。
【０１３１】
また、一対のシート搬送ローラ７０３の他方の支軸７０３ｂには、記録済みシートＰｓをガイドするシートガイド板７０６が遥動自在に軸支されている。
【０１３２】
また、シート排紙部１５０のシート排紙経路下流部には、図９に示すようにシート排紙トレイ７０１の第１のシート排紙台７０１Ａ上に記録済みシートＰｓを排紙する第１のシート排紙ローラ７０７と、図１０に示すようにシート排紙トレイ７０１の第２のシート排紙台７０１Ｂ上に記録済みシートＰｓを排紙する第２のシート排紙ローラ７０８と、が配設されている。
【０１３３】
さらに、このシート排紙部１５０には、その開閉動作に連動して記録済みシートＰｓのシート排紙経路を切り替えるシート排紙経路切替爪７０９が支軸７０９ａにより遥動自在に軸支されている。このシート排紙経路切替爪７０９の基部には、凹部７０９ｂが形成されている。
【０１３４】
一方、シート排紙トレイ７０１は、その基部が支軸７０１ａによりシート排紙部１５０の筐体７０２に遥動自在に軸支されている。また、このシート排紙トレイ７０１の基部には、凸部７０１ｂが設けられている。そして、このシート排紙トレイ７０１の凸部７０１ｂは、シート排紙経路切替爪７０９の凹部７０９ｂに嵌合している。
【０１３５】
本例の画像形成装置７００においては、原稿カバー１２２が閉じた状態では、図９に示すように、シート排紙トレイ７０１が、第１のシート排紙台７０１Ａとして機能するように装置本体１０１の最上部位に位置する。
【０１３６】
これにより、シート排紙トレイ７０１は、その支軸７０１ａを遥動中心として反時計方向に遥動し、このシート排紙トレイ７０１の遥動によってシート排紙経路切替爪７０９がその支軸７０９ａを遥動中心として時計方向に遥動する。
【０１３７】
そして、このシート排紙経路切替爪７０９の遥動によって、筐体７０２の側壁７０２ａ，７０２ｂとシート排紙経路切替爪７０９とにより第１のシート排紙経路１５３が形成され、図９に示すようにシート排紙トレイ７０１の第１のシート排紙台７０１Ａ上に記録済みシートＰｓが排紙されるようになる。
【０１３８】
また、本例の画像形成装置７００においては、原稿カバー１２２が開いた状態では、図１０に示すように、シート排紙トレイ７０１が、第２のシート排紙台７０１Ｂとして機能するように装置本体１０１の背面がわに開放される。
【０１３９】
これにより、シート排紙トレイ７０１は、その支軸７０１ａを遥動中心として時計方向に遥動し、このシート排紙トレイ７０１の遥動によってシート排紙経路切替爪７０９がその支軸７０９ａを遥動中心として反時計方向に遥動する。
【０１４０】
そして、このシート排紙経路切替爪７０９の遥動によって、筐体７０２の側壁７０２ａ，７０２ｂとシート排紙経路切替爪７０９とにより第２のシート排紙経路１５８が形成され、図１０に示すようにシート排紙トレイ７０１の第２のシート排紙台７０１Ｂ上に記録済みシートＰｓが排紙されるようになる。
【０１４１】
本実施の形態３に係る画像形成装置７００においては、開閉自在な１つのシート排紙トレイ７０１の一方の面が第１のシート排紙台７０１Ａとして機能し、他方の面が第２のシート排紙台７０１Ｂとして機能するので、装置の低廉化および簡素化を図ることができる。
【０１４２】
また、本実施の形態３に係る画像形成装置７００においては、シート排紙トレイ７０１の開閉により第１のシート排紙台７０１Ａと第２のシート排紙台７０１Ｂとの切り替えが行われるので、第１のシート排紙台７０１Ａと第２のシート排紙台７０１Ｂとの記録済みシートＰｓの排紙位置が共に装置本体１０１の最上部位となり、記録済みシートＰｓの取り出しが容易になる。
【０１４３】
なお、本例の画像形成装置７００におけるその他の構成および動作は、実施の形態１に係る画像形成装置１００の構成および動作と同様であるので、その説明を省略する。
【０１４４】
ところで、本発明の各実施の形態に係る画像形成装置１００，５００，７００では、画像形成部１３０の画像形成方式として電子写真方式による一例について説明したが、本発明は、同様の画像形成装置であればインクジェット方式など他の画像形成方式を用いたものにも適用できることは言うまでもない。
【０１４５】
また、本発明の各実施の形態に係る画像形成装置１００，５００，７００は、複写機能、プリント機能、およびファクシミリ機能等を有する多機能の複合機を例示したものであるが、単一の機能を有するものであってもよい。
【産業上の利用可能性】
【０１４６】
本発明に係る画像形成装置は、原稿カバーが開かれた状態では記録済みシートが原稿カバーの開閉領域外の部位に排紙され、記録済みシートの排紙時におけるシートジャムを防止することができるので、複写機、プリンタ、ファクシミリ、およびこれらの機器を統合した多機能の複合機からなる画像形成装置として有用である。
【図面の簡単な説明】
【０１４７】
【図１】本発明の実施の形態１に係る画像形成装置の外観を示す概略斜視図
【図２】本発明の実施の形態１に係る画像形成装置の全体的な構成を示す概略断面図
【図３】本発明の実施の形態１に係る画像形成装置の自動複写モード時の動作態様を示す概略断面図
【図４】本発明の実施の形態１に係る画像形成装置の手動ブック原稿複写モード時の動作態様を示す概略断面図
【図５】本発明の実施の形態２に係る画像形成装置の全体的な構成を示す概略断面図
【図６】本発明の実施の形態２に係る画像形成装置の手動ブック原稿複写モード時の動作態様を示す概略断面図
【図７】本発明の実施の形態３に係る画像形成装置のシート排紙部を閉じたときの態様を示す概略斜視図
【図８】本発明の実施の形態３に係る画像形成装置のシート排紙部を開いたときの態様を示す概略斜視図
【図９】本発明の実施の形態３に係る画像形成装置のシート排紙部を閉じたときのシート排紙部の構成を示す概略断面図
【図１０】本発明の実施の形態３に係る画像形成装置のシート排紙部を開いたときのシート排紙部の構成を示す概略断面図
【符号の説明】
【０１４８】
１００，５００，７００  画像形成装置
１０１  装置本体
１０２  操作パネル
１０３  コピーボタン
１０４  ブック原稿選択ボタン
１２０  読取部
１２１  原稿載置台
１２１ａ  原稿載置面
１２２  原稿カバー
１２３  走査光学系
１３０  画像形成部
１３１  感光体
１３２  帯電器
１３３  露光装置
１３４  現像装置
１３５  転写ローラ
１３６  クリーニング装置
１３７  定着装置
１４０  自動原稿給紙装置
１４１  原稿給紙トレイ
１４２  原稿給紙ローラ
１４３  スキャナ
１４４  原稿排紙ローラ
１４５  原稿排紙トレイ
１５０  シート排紙部
１５１  第１のシート排紙トレイ
１５２  第１のシート排紙ローラ
１５３  第１のシート排紙経路
１５４  第１のシート排紙ガイド板
１５５，５０１  第２のシート排紙トレイ
１５５ａ，５０１ａ，７０３ａ，７０３ｂ，７０９ａ  支軸
１５５ｂ，５０１ｂ  係止爪
１５５ｃ，５０１ｃ  係止ソレノイド
１５５ｄ，５０１ｄ  コイルスプリング
１５６，５０３  第２のシート排紙ローラ
１５７  シート排紙経路切替板
１５８  第２のシート排紙経路
１７０  給紙部
１８０  搬送系
１８２  レジストローラ
１８８  反転切替爪
５０２，７０９  シート排紙経路切替爪
７０１  シート排紙トレイ
７０１Ａ  第１のシート排紙台
７０１Ｂ  第２のシート排紙台
７０２  筐体
７０２ａ，７０２ｂ  側壁
７０３  シート搬送ローラ
７０４，７０５  位置決めピン
７０６  シートガイド板
ＢＯ  ブック原稿
Ｏ  原稿
Ｐ  シート
Ｐｓ  記録済みシート
Ｓ  シート原稿
【図１】
2005338299.tif 000003
【図２】
2005338299.tif 000004
【図３】
2005338299.tif 000005
【図４】
2005338299.tif 000006
【図５】
2005338299.tif 000007
【図６】
2005338299.tif 000008
【図７】
2005338299.tif 000009
【図８】
2005338299.tif 000010
【図９】
2005338299.tif 000011
【図１０】
2005338299.tif 000012